(57)【要約】【課題】ユーザの環境に応じた有用な施設情報を提供する。【解決手段】ユーザ側および／または施設側の環境情報を記憶する第１データベース２と、第１データベース２から環境情報を取得する環境情報取得手段１と、施設情報、および環境情報を基準として施設に応じて設定された選択条件を記憶する第２データベース４と、環境情報取得手段１により取得された環境情報を満たす選択条件が対応づけられた施設情報を第２データベース４から選択する選択手段３とを有する。【選択図】  図２
2005031988.tif 000002
【特許請求の範囲】
【請求項１】
ユーザ側の要求に応じて、施設情報を前記ユーザに提供する情報提供装置であって、
前記ユーザ側および／または施設側の環境情報を記憶する第１データベースから前記環境情報を取得する環境情報取得手段と、
前記施設情報を記憶する第２データベースと、
前記環境情報取得手段により取得された環境情報に応じた施設情報を、前記第２データベースから選択する選択手段と、を有する情報提供装置。
【請求項２】
前記第２データベースは、前記環境情報を基準とし、前記施設に応じて設定された選択条件を含み、
前記選択手段は、前記環境情報取得手段により取得された環境情報を満たす選択条件が対応づけられた前記施設情報を選択する請求項１に記載の情報提供装置。
【請求項３】
前記環境情報は、前記ユーザの現在位置から前記施設へ至る経路の交通情報である請求項１または２に記載の情報提供装置。
【請求項４】
前記環境情報は、前記ユーザが施設情報の配信を要求した日時である請求項１〜３のいずれかに記載の情報提供装置。
【請求項５】
前記環境情報は、前記施設周辺の天気情報である請求項１〜４のいずれかに記載の情報提供装置。
【請求項６】
前記環境情報は、前記施設の駐車場情報である請求項１〜５のいずれかに記載の情報提供装置。
【請求項７】
前記環境情報は、前記ユーザの性別、ユーザの年齢、ユーザが搭乗する車両の車種その他のユーザ属性をさらに含む請求項１〜６の何れかに記載の情報提供装置。
【請求項８】
施設の情報をユーザに提供するコンピュータにより、読み込み可能なデータベースであって、
前記施設の施設情報と、前記ユーザ側および／または施設側の環境情報を基準として設定された選択条件とを対応づけて記憶するデータベース。
【発明の詳細な説明】
【０００１】
【技術分野】
本発明は、施設の位置等を案内する施設情報をユーザに提供する情報提供装置に関し、特に、変化するユーザ側の環境および／または施設側の環境に応じて選択された施設情報を提供する情報提供装置に関する。
【０００２】
【背景技術】
施設情報に付加されたリアルタイムの付属情報を参照し、駐車場に空車のあるレストラン、営業中のレストラン、空席のあるレストランを識別可能に表示する技術がある（特許文献１参照）。この技術によれば、施設の事情に応じたサービス情報を提供することができる。
しかしながら、従来の技術では、環境に応じて変化する「ユーザにとって有益な情報」を提供することができないという問題があった。たとえば、営業中のレストランに関する情報をユーザに提示したとしても、現在位置からレストランに至るまでの経路が渋滞であるため到着するまでに時間がかかる場合、提示されたレストランの情報はユーザにとって有益な情報とはいえないという不都合があった。
【０００３】
【特許文献１】
特開２００１−２６４０８８号公報
【０００４】
【発明の開示】
本発明は、環境に応じて変化する「ユーザにとって有益な情報」を提供することを目的とする。
この発明によれば、ユーザ側の要求に応じて、施設情報をユーザに提供する情報提供装置であって、ユーザ側および／または施設側の環境情報を記憶する第１データベースから環境情報を取得し、取得した環境情報に応じた施設情報を、第２データベースに記憶された施設情報の中から選択する情報提供装置を提供することができる。
これにより、ユーザ側の環境および／または施設側の環境の変化に応じて、「ユーザにとって有益な施設情報」を選択し、提供することができる。
【０００５】
【発明を実施するための最良の形態】
以下、本発明の実施形態を図面に基づいて説明する。
図１に情報提供装置１００を含む情報提供システムの概要を示した。
本実施形態の情報提供装置１００は、ユーザ側端末２００を含む外部と相互に送受信可能であって、適宜選択した施設情報をユーザ側端末２００に配信するサーバである。
【０００６】
図１に示すように、本実施形態の情報提供装置１００は、第２データベースを読み込む機能ｏと、施設情報作成機能ｐと、有用施設情報選択機能ｑと、施設情報配信機能ｒとを有する。
【０００７】
第２データベース読み込み機能ｏは、第２データベース４に記憶された施設情報を読み込む。第２データベース４は、コンピュータにより読み込み可能なデータベースであり、施設の位置、施設の内容、営業時間その他の案内情報を記憶する。本実施形態の第２データベース４は、施設の種類に応じて、飲食店案内情報データベース４ａ、レジャー施設案内情報データベース４ｂ、駐車場案内情報データベース４ｃなどを含む。
【０００８】
施設情報作成機能ｐは、各施設情報に基づいて配信する情報を含めた施設情報を作成する。作成した施設情報は第２データベース４に一時的に記憶される。施設情報作成機能ｐは、データベースの種類に応じて、飲食店情報作成機能４ｄ、レジャー施設情報作成機能４ｅ、駐車場情報作成機能４ｆとを有する。
【０００９】
有用施設情報選択機能ｑは、作成された複数の施設情報からユーザにとって有用な施設情報を選択する。有用施設情報選択機能ｑは、各種環境情報が蓄積された第１データベース２と、この第１データベース２から環境情報を取得する環境情報取得手段１と、選択条件と施設情報とを対応づけたテーブルを記憶する第２データベース４と、このテーブルを参照して環境情報に基づいて施設情報を選択する選択手段３とにより実現される。各構成の詳細については後で説明する。
【００１０】
施設情報配信機能ｒは送受信手段５により実現される。送受信手段５は、選択手段３により選択された施設情報をユーザ側端末２００へ向けて配信する。
【００１１】
図２は、本実施形態に係る情報提供装置１００の機能ブロック図である。情報提供装置１００が施設情報を配信するユーザ端末２００の主な構成も併せて示した。
【００１２】
情報提供装置１００は、環境情報取得手段１と、第１データベース２と、選択手段３と、第２データベース４と、送受信手段５とを有する。具体的には、少なくとも、取得したユーザの環境情報に基づいて、予め設定された選択条件を参照して施設情報を選択するプログラムを格納したＲＯＭと、このＲＯＭに格納されたプログラムを実行することで、環境情報取得手段１、選択情報３として機能するＣＰＵと、施設情報、選択条件その他の情報を記憶し、第１データベース２、第２データベース４として機能するＲＡＭとを備える。
【００１３】
「環境情報取得手段１」は、環境情報を第１データベース２から取得する。  「第１データベース２」は、環境情報または環境情報を導く情報（環境情報を推測させる情報）を少なくとも一時的に記憶する。本実施形態の第１データベース２は、少なくとも、地図情報２ａ、交通情報２ｂ、天気情報２ｃ、駐車場情報２ｄ、ユーザ情報２ｅを記憶する。これら各情報は、第１データベース２に予め記憶させておいてもよいし、環境情報を検出するユーザ側端末２００、または環境情報を提供する各種環境情報提供サーバ３００から適宜取得して記憶させてもよい。なお、本実施形態では、第１データベース２を情報提供装置１００内に設けたが、情報提供装置１００とは物理的に分離させ、情報提供装置１００と情報の送受信が可能なネットワーク上に設けることも可能である。もちろん、第１データベース２を、複数のサーバに分割して設けてもよい。
【００１４】
「環境情報取得手段１」は、第１データベース２から「ユーザ側の環境状態に関する環境情報」および／または「施設側の環境状態に関する環境情報」を取得する。
【００１５】
「ユーザ側の環境情報」とは、ユーザが置かれている環境状態から導かれる情報であって、現在位置から施設へ至る経路の交通情報、ユーザが施設情報の配信を要求した日時、ユーザの属性などである。「ユーザ側の環境情報」は、ユーザの状態の変化に応じて変化する。具体的には、ユーザが現在位置から施設へ到着するまでの所要時間、ユーザの現在位置から施設へ至る経路の渋滞状況、ユーザが施設情報の配信を要求した時間、日付、曜日、ユーザの性別、年齢、ユーザが搭乗する車両の車種その他のユーザ属性である。
【００１６】
「施設側の環境情報」とは、施設側の環境状態から導かれる状態であって、施設周辺の天気、施設の駐車場情報などである。「施設側の環境情報」は、施設側の状態の変化に応じて変化する。具体的には、施設周辺の天気、施設周辺の気温、施設の駐車場の駐車環境（たとえば、施設から駐車場までの距離）、駐車場の混雑状況（たとえば、駐車場の待ち時間）である。
【００１７】
環境情報を取得するため、「環境情報取得手段１」は、交通情報取得部１１と、日時情報取得部１２と、天気情報取得部１３と、駐車場情報取得部１４と、ユーザ情報取得部１５とを有する。
【００１８】
本実施形態の交通情報取得部１１は、現在位置から施設へ至る経路の交通情報を第１データベース２から取得する。第１データベース２の交通情報２ｂは、ユーザ側端末２００の位置検出機能２１１がＧＰＳ機能（Ｇｌｏｂａｌ  Ｐｏｓｉｔｉｏｎｉｎｇ  Ｓｙｓｔｅｍ）を用いて検出したユーザの現在位置を取得し、少なくとも現在位置に関する交通情報を蓄積する。
【００１９】
環境情報取得手段１は、第１データベース２の交通情報をそのまま「環境情報」として取得してもよいし、第１データベース２の交通情報に基づいてユーザの環境状態を推測し、その推測結果を「環境情報」として取得してもよい。
【００２０】
本実施形態の環境情報取得手段１は、交通情報からユーザの環境状態を推測する環境推測機能１１１を有している。環境推測機能１１１は、ユーザが現在位置から施設へ到着するまでの所要時間を推測する。具体的には、まず、環境推測機能１１１が第１データベース２からユーザの現在位置を取得し、地図情報２ａを参照して、ユーザの現在位置から特定の施設の位置までの経路を算出する。参照される地図情報２ａは、一般のナビゲーション装置等に用いられる電子地図情報である。さらに、環境推測機能１１１は、地図情報２ａに含まれる道路属性情報（道路ごとの平均走行速度を含む）を参照し、ユーザが現在位置から施設へ到着するまでの所要時間を算出する。なお、到着までの所要時間が算出される施設は、ユーザの現在位置に近い順に順次特定される。
【００２１】
また、本実施形態の環境推測機能１１１は、ユーザの現在位置から施設へ至る経路の渋滞状況を推測する。この渋滞状況は、現在位置から施設へ至る経路中の渋滞の長さであってもよいし、渋滞の長さと速度とを参照して求めた現在位置から施設へ至る所要時間であってもよい。具体的には、まず、環境推測機能１１１が第１データベース２からユーザの現在位置を取得し、地図情報２ａを参照して、ユーザの現在位置から特定の施設の位置までの経路を算出する。さらに、環境推測機能１１１は、この経路に関する渋滞情報を、交通情報２ｂから取得する。この渋滞情報は、ＶＩＣＳ（Ｖｅｈｉｃｌｅ  Ｉｎｆｏｒｍａｔｉｏｎ  ａｎｄ  ｃｏｍｍｕｎｉｃａｔｉｏｎ  Ｓｙｓｔｅｍ）等の交通情報配信サーバ３００から取得され、蓄積された情報である。環境推測機能１１１は、渋滞情報（交通情報２ｂ）を参照して、ユーザの現在位置から施設へ至る経路の渋滞の長さ、または渋滞状況を考慮した所要時間を推測する。
【００２２】
「日時情報取得部１２」は、ユーザが施設情報の配信を要求した時間、日付、曜日の日時情報を、第１データベース２のユーザ情報２ｅから取得する。この日時情報は、ユーザＩＤごとに蓄積された配信要求命令の入力履歴である。
【００２３】
「天気情報取得部１３」は、施設周辺の現在の天気、施設周辺の天気予報、施設周辺の降水確率、施設周辺の気温を第１データベース２の天気情報２ｃから取得する。施設の位置は第２データベース４の施設情報から取得する。
【００２４】
「駐車場情報取得部１４」は、施設の駐車場の駐車環境を第１データベース２の駐車場情報２ｄから取得する。本実施形態の駐車場情報取得部１４は、施設から駐車場までの距離、および／または駐車場の混雑状況を示す駐車場の待ち時間を取得する。施設から駐車場までの距離情報は、第２データベース４の施設情報（４１）を参照してもよい。
【００２５】
「ユーザ情報取得部１５」は、ユーザの性別、年齢、ユーザが搭乗する車両の車種その他のユーザ属性を、第１データベース２のユーザ情報２ｅから取得する。
【００２６】
「選択手段３」は、環境情報取得手段１により取得された環境情報に応じた施設情報を第２データベース４から選択する。たとえば、環境情報が交通情報である場合、選択手段３は予め定めた時間以内に到着できる施設情報や、予め定めた長さより短い渋滞長で到着できる施設情報を選択する。環境情報が、ユーザが施設情報の配信を要求した日時である場合、選択手段３はその日時に営業している施設情報を選択する。環境情報がユーザ情報である場合、選択手段３はそのユーザの属性に適した施設の施設情報を選択する。具体的には、子供の年齢に応じて子供が楽しめる施設の施設情報を選択し、ユーザの性別に応じて、女性または男性向きの施設の施設情報を選択する。環境情報が天気情報である場合、選択手段３は天気に適した施設の施設情報を選択する。具体的には、施設周辺が雨の場合には屋外施設は選択せずに、屋内施設を優先的に選択する。環境情報が駐車場情報である場合、選択手段３は施設から駐車場までの距離が、予め定めた距離よりも短い施設を選択する。たとえば、家具のショッピングセンターでは、施設の近くに駐車場があることが好ましいことから、所定距離内に駐車場があることが選択の条件とする。また、選択手段３は、駐車場の待ち時間が予め定めた時間以内である施設を選択する。
【００２７】
選択手段３が、施設を選択する場合の「選択条件」は、環境情報を基準とし、施設ごとに設定されることが好ましい。本実施形態の選択条件とその内容を表１に示した。選択条件は環境情報を基準として設定されているため、取得した環境情報と選択条件とを直接対比することができる。
【００２８】
【表１】
2005031988.tif 000003
本実施形態の第２データベース４は、環境情報を基準とし、施設に応じて設定された「選択条件」と「施設情報」とを対応づけた選択条件テーブル４２を記憶する。図３に選択条件テーブル４２の一例を示した。図３に示した選択条件テーブル４２は、レジャーに関係する施設の選択条件テーブル４２である。図３に示すように、レジャー施設の種類が、「スキー場」「屋外遊園地」「ショッピングモール」「映画館」とに区分され、各カテゴリに区分された複数の施設情報には識別可能なように施設ＩＤが付されている。各施設情報には、選択条件として、環境情報と同様の「交通情報」「日時情報」「天気情報」「駐車場情報」「ユーザ情報」とが対応づけられている。この選択条件テーブルに設定されている数値は、任意に設定できる。
【００２９】
スキー場Ｃを例にして選択条件を説明する。
スキー場Ｃに関し、交通情報の所要時間は２０分である。これは、ユーザの現在位置からスキー場Ｃに至る所要時間が２０分以下である場合、スキー場Ｃの案内情報を施設情報として選択するという条件である。交通情報の渋滞長は１０ｋｍである。これは、ユーザの現在位置からスキー場Ｃに至る経路における渋滞の長さが１０ｋｍ以下である場合、スキー場Ｃの案内情報を施設情報として選択するという条件である。
【００３０】
日時情報の時間は、１０：００〜１９：００である。これは、ユーザからの施設情報の配信要求がこの時間帯である場合、スキー場Ｃの案内情報を施設情報として選択するという条件である。日時情報の日付、曜日も同様である。ちなみに、スキー場Ｃの日付情報はスキー場Ｃのリフト運行日時と対応している。天気情報の天気は「雨でないこと」である。これは施設周辺の天気が雨でない場合、これは、スキー場Ｃの案内情報を施設情報として選択するという条件である。天気情報の気温も同様である。
【００３１】
駐車場情報の駐車環境（距離）は、３００ｍ以内である。これは施設と駐車場の距離が３００ｍ以内である場合、スキー場Ｃの案内情報を施設情報として選択するという条件である。施設と駐車場との距離が固定値である場合には、この条件を満たすか否かを予め判断しておいてもよい。また、複数の駐車場（第１駐車場〜第ｎ駐車場）がある場合のように、現在駐車できる駐車場とスキー場との距離が混雑状況に応じて変化する場合には、駐車場の空き情報を参照して選択条件を満たすか否かを判断する。駐車場情報の待ち時間は、２０分以内である。これは駐車場が空いており待ち時間が２０分以内である場合、スキー場Ｃの案内情報を施設情報として選択するという条件である。
【００３２】
ユーザ情報の年齢は２歳以上である。これは、ユーザが２歳以上である場合、スキー場Ｃの案内情報を施設情報として選択するという条件である。この年齢条件は、スキー場Ｃに２歳以上の子供が楽しめるゲレンデがあるという事情に基づいて設定された条件である。
【００３３】
なお、すべての選択条件を設定する必要はなく、スキー場Ｃでは「性別」、「車種」の選択条件を設定していない。ちなみに、ショッピングモールなどで女性向きの商品が取り揃えてある場合、「女性向き」という「性別」の選択条件を設定することができる。また、施設の駐車場が大型車を制限し、小型車限定とする場合「小型車限定」という選択条件を設定することができる。
【００３４】
選択条件の交通情報の設定手法は特に限定されないが、本実施形態の選択条件テーブル４２は、交通情報取得部１１により取得された交通情報に基づいて選択条件を算出し、選択条件テーブル４２の「所要時間」の選択条件を設定する選択条件算出機能４２１を有している。
【００３５】
選択条件算出機能４２１は、ユーザの現在位置と施設の位置との相対的位置関係に応じて「所要時間」を算出する。選択条件「所要時間」の算出例を図４に示した。選択条件算出機能４２１は、ユーザの現在位置から施設までの距離が５ｋｍ以内の場合、所要時間を１０分以内と算出し、これを選択条件として設定する。図４に示すように、距離が２０ｋｍ以内であれば、選択条件算出機能４２１は距離に比例した所要時間を算出する。ユーザの現在位置から施設までの距離が２０ｋｍ〜５０ｋｍの場合、選択条件算出機能４２１は所要時間を９０分以内と算出し、これを選択条件として設定する。なお、現在位置から施設までの距離が５０ｋｍ以上である場合、選択条件は設定しない。
【００３６】
選択条件算出機能４２１は、ユーザの現在位置と施設の位置との相対的位置関係に応じて「渋滞長」を算出する。選択条件「渋滞長」の算出例を図５に示した。選択条件算出機能４２１は、ユーザの現在位置から施設までの距離が５ｋｍ以内の場合、渋滞長が０．５ｋｍ以内と算出し、これを選択条件として設定する。図５に示すように、距離が５０ｋｍ以内であれば、選択条件算出機能４２１は距離に比例した渋滞長を算出する。現在位置から施設までの距離が５０ｋｍ以上である場合、選択条件算出機能４２１は渋滞長を一律５ｋｍ以内と算出し、これを選択条件として設定する。
【００３７】
選択手段３により選択された施設情報は、送受信手段５に送出され、送受信手段５は、施設情報をユーザ端末２００のユーザ側送受信手段２１３へ向けて送出する。
【００３８】
以下、本実施形態の情報提供装置１００の制御手順を図６のフローチャートに基づいて説明する。
【００３９】
ユーザ側端末２００は、起動後（２００）、ユーザの現在位置を検出し（２０１）、検出した現在位置を第１データベース２の交通情報２ｂに向けて送信する（２０２）。また、環境情報提供サーバ３００は、起動後（３００）、渋滞情報等の各種環境情報を検出し（３０１）、検出した環境情報を第１データベース２に向けて送信する（３０２）。
【００４０】
情報提供装置１００は、起動後（１００）、送信された環境情報を第１データベース２に蓄積する（１１０）。環境情報取得手段１は、第１データベース２にアクセスし（１１１）、ユーザ側および／または施設側の環境情報を取得する（１１２）。環境情報の取得ステップにおいて、環境情報を推測する場合には、交通情報取得部１１の環境推測機能１１１を起動させる（１１３）。
【００４１】
選択手段３は、第２データベース４の選択条件テーブル４２を読み込む（１１４）。選択手段３は、環境情報取得手段１が取得した環境情報と、各施設情報に対応づけられた選択条件を対比する（１１５）。
【００４２】
選択手段３は、取得された環境情報に応じた施設情報を第２データベース４から選択する。具体的には、取得された環境情報を満たす選択情報が対応づけられた施設情報を選択する（１１６）。
【００４３】
送受信手段５は、選択された施設情報をユーザ側端末２００へ向けて送信し（１１７）、終了（１１８）へ向かう。
【００４４】
次に、選択手段３の選択処理について、４つの具体的な例を挙げながら説明する。ここでは、ユーザからレジャー施設の施設情報の要求があった場合における施設情報の選択処理を説明する。ユーザの現在位置から所定距離範囲内にあるレジャー施設としてスキー場Ｃ、遊園地Ｃ、ショッピングモールＣ、映画館Ｂが候補となったとする。選択手段は、これら候補となった各施設からユーザにとって有用な施設情報を選択し、選択した施設情報をユーザに提供する。選択手段３が選択処理において参照する選択条件テーブル４２は図３に示したものである。なお、ここで説明する例では、図３に示した選択条件のうち、比較する選択条件の項目を予め決定し、その項目について取得した環境情報との比較を行った。選択の条件は特に限定されないが、本例では、取得した環境情報が予め決定した選択条件のすべての項目を満たす場合、その選択条件が対応づけられた施設情報を選択する。
【００４５】
＜第１例＞
選択手段３は、スキー場Ｃの施設情報が有用であるか否か、すなわちスキー場Ｃの施設情報を選択するか否かを判断する。本例において、交通情報取得部１１はユーザの現在位置からスキー場Ｃまでの渋滞長が８ｋｍであるという環境情報（交通情報）を取得した。選択手段３は、取得した渋滞長（８ｋｍ）を選択条件テーブル４２（図３参照）の渋滞長の条件（１０ｋｍ以下）と比較する。取得した渋滞長はスキー場Ｃの渋滞長（選択条件）を満足する。
【００４６】
本例において、天気情報取得部１３はスキー場Ｃ周辺の天気が雨であるという環境情報を取得した。選択手段３は、取得したスキー場Ｃ周辺の天気情報（雨）を選択条件テーブル４２の天気の条件（雨でないこと）と比較する。取得した天気情報はスキー場Ｃの天気情報（選択条件）を満足しない。
【００４７】
本例において、日時情報取得部１２はユーザが施設情報の配信を要求した時間を取得した。選択手段３は、取得した時間とを選択条件テーブル４２の時間（１０：００〜１９：００）と比較する。取得した時間はスキー場Ｃの選択条件を満足する。
【００４８】
以上の比較結果に基づいて、選択手段３は、スキー場Ｃの施設情報がユーザにとって有用ではないと判断し、スキー場Ｃの施設情報を選択しない。これはスキー場Ｃの天気が雨であり、すべての選択条件を満足しないからである。
【００４９】
＜第２例＞
選択手段３は、屋外遊園地Ｃの施設情報が有用であるか否か、すなわち遊園地Ｃの施設情報を選択するか否かを判断する。本例において、交通情報取得部１１はユーザの現在位置から遊園地Ｃまでの所要時間が５０分であるという環境情報（交通情報）を取得した。選択手段３は、取得した所要時間（５０分）を選択条件テーブル４２（図３参照）の所要時間の条件（３５分）と比較する。取得した所要時間は遊園地Ｃの所要時間（選択条件）を満足しない。
【００５０】
本例において、天気情報取得部１３は遊園地Ｃ周辺の天気が曇りであるという環境情報を取得した。選択手段３は、取得した遊園地Ｃ周辺の天気情報（曇り）を選択条件テーブル４２の天気の条件（雨でないこと）と比較する。取得した天気情報は遊園地Ｃの天気情報（選択条件）を満足する。
【００５１】
また、天気情報取得部１３は遊園地Ｃ周辺の気温が１２℃であるという環境情報を取得した。選択手段３は、取得した遊園地Ｃ周辺の気温情報（１２℃）を選択条件テーブル４２の気温の条件（１０℃以上）と比較する。取得した気温情報は遊園地Ｃの気温情報（選択条件）を満足する。
【００５２】
本例において、日時情報取得部１２はユーザが施設情報の配信を要求した時間が１２時であるという環境情報を取得した。選択手段３は、取得した時間情報と選択条件テーブル４２の時間情報（８：００〜２０：００）と比較する。取得した時間は遊園地Ｃの選択条件を満足する。
【００５３】
以上の比較結果に基づいて、選択手段３は、遊園地Ｃの施設情報がユーザにとって有用ではないと判断し、遊園地Ｃの施設情報を選択しない。遊園地Ｃまでの所要時間が長く、すべての選択条件を満足しないからである。
【００５４】
＜第３例＞
選択手段３は、ショッピングモールＣの施設情報が有用であるか否か、すなわちショッピングモールＣの施設情報を選択するか否かを判断する。本例において、交通情報取得部１１はユーザの現在位置からショッピングモールＣまでの所要時間が２０分であるという環境情報（交通情報）を取得した。選択手段３は、取得した所要時間（２０分）を選択条件テーブル４２（図３参照）の所要時間の条件（４０分）と比較する。取得した所要時間はショッピングモールＣの選択条件を満足する。
【００５５】
本例において、日時情報取得部１２はユーザが施設情報の配信を要求した時間が１２時であるという環境情報を取得した。選択手段３は、取得した時間情報と選択条件テーブル４２の時間情報（１０：００〜２３：００）と比較する。取得した時間はショッピングモールＣの選択条件を満足する。
【００５６】
以上の比較結果に基づいて、選択手段３は、ショッピングモールＣの施設情報がユーザにとって有用であると判断し、ショッピングモールＣの施設情報を選択する。
【００５７】
＜第４例＞
選択手段３は、映画館Ｂの施設情報が有用であるか否か、すなわち映画館Ｂの施設情報を選択するか否かを判断する。本例において、交通情報取得部１１はユーザの現在位置から映画館Ｂまでの所要時間が４０分であるという環境情報（交通情報）を取得した。選択手段３は、取得した所要時間（４０分）を選択条件テーブル４２（図３参照）の所要時間の条件（４５分）と比較する。取得した所要時間は映画館Ｂの選択条件を満足する。
【００５８】
本例において、日時情報取得部１２はユーザが施設情報の配信を要求した時間が１２時であるという環境情報を取得した。選択手段３は、取得した時間情報と選択条件テーブル４２の時間情報（１０：００〜２３：００）と比較する。取得した時間は映画館Ｂの選択条件を満足する。
【００５９】
以上の比較結果に基づいて、選択手段３は、映画館Ｂの施設情報がユーザにとって有用であると判断し、映画館Ｂの施設情報を選択する。
【００６０】
以上のように構成され、機能する情報提供装置１００は以下の効果を奏する。
取得したユーザの環境情報に応じた施設情報を選択することから、ユーザの環境に応じて変化する有用な施設情報を、ユーザに提供することができる。
【００６１】
施設情報を記憶する第２データベース４は、施設に応じて設定された選択条件に基づいて施設情報を選択するため、多くの施設情報の中から変化するユーザの環境に適した有用な施設情報を、適切に選択することができる。
【００６２】
また、環境条件を基準として選択条件を設定したことにより、環境条件と選択条件とを直接対比し、ユーザの環境条件を満たす施設情報を的確に選択することができる。
【００６３】
さらに、施設ごとに選択条件を対応づけた選択条件テーブル４２を有することから、選択条件を設定するだけで、作成された施設情報から有用な施設情報を選択することができる。選択条件は施設ごとに任意に設定できることから、施設を利用するユーザの希望を反映させた施設情報を選択することができる。
【００６４】
環境情報を、ユーザの現在位置から施設へ至る経路の交通情報としたことにより、ユーザの現在位置によって変化する交通情報に応じて、ユーザにとって有用な施設情報を選択・提供することができる。具体的には、所要時間が短い施設を選択することができ、また渋滞に巻き込まれずに行ける施設を選択することができる。
【００６５】
環境情報を、ユーザが施設情報の配信を要求した日時としたことにより、ユーザが施設情報を要求したタイミングに応じて、ユーザにとって有用な施設情報を選択・提供することができる。具体的には、施設情報の配信を求めたタイミングにおいて営業している施設を選択することができる。
【００６６】
環境情報を、施設周辺の天気情報としたことにより、施設周辺の現在の天気、予測される天気、降水確率、温度を考慮して、ユーザにとって有用な施設情報を選択・提供することができる。具体的には、施設周辺が雨天の場合、屋外の施設の施設情報は提供しないようにすることができる。
【００６７】
環境情報を、施設の駐車場情報としたことにより、施設の駐車場の状況を考慮して、ユーザにとって有用な施設情報を選択・提供することができる。具体的には、施設と駐車場との距離が近い施設の施設情報、または待ち時間の短いまたは無い駐車場がある施設の施設情報を選択・提供することができる。
【００６８】
環境情報を、ユーザの属性としたことにより、ユーザの性別、ユーザの年齢、ユーザの搭乗する車両の車種等を考慮して、ユーザにとって有用な施設情報を選択・提供することができる。具体的には、子供が楽しめる施設の施設情報、または女性向きの商品やサービスが充実している施設の施設情報を選択して提供することができる。
【００６９】
環境情報が、交通情報、日時情報、天気情報、駐車場情報、ユーザ情報のいずれかの１つ以上を組み合わせることにより、それぞれの観点から設定された選択条件を満たす施設情報を選択することができる。特に、ユーザ側の環境の変化に応じて変化する交通情報、日時情報、ユーザ情報と、施設側の環境に応じて変化する天気情報、駐車場情報とを組み合わせることにより、ユーザ側の環境および施設側の環境の変化に応じた施設情報を選択することができる。
【００７０】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【図１】情報提供装置１００の構成概要図である。
【図２】情報提供装置１００のブロック図である。
【図３】選択条件テーブル４２の一例を示す図である。
【図４】選択条件の設定例を説明するための図である。
【図５】選択条件の他の設定例を説明するための図である。
【図６】情報提供装置１００の制御手順を示すフローチャート図である。
【符号の説明】
１００…情報提供装置
１…環境情報取得手段
１１…交通情報取得部
１２…日時情報取得部
１３…天気情報取得部
１４…駐車場情報取得部
１５…ユーザ情報取得部
２…第１データベース
３…選択手段
４…第２データベース
５…送受信手段
２００…ユーザ側端末
３００…各種環境情報提供サーバ
【図１】
2005031988.tif 000004
【図２】
2005031988.tif 000005
【図３】
2005031988.tif 000006
【図４】
2005031988.tif 000007
【図５】
2005031988.tif 000008
【図６】
2005031988.tif 000009